(57)【要約】【課題】先端部が滑らないで、麺類が食べ易いプラスチック製割箸の提供。【解決手段】本発明のプラスチック製割箸Ｉは、左右一対のプラスチック製箸１，２が連結部３で連結されたプラスチック製割箸であって、該割箸１の先端部の周壁面に一対の半球状凸部４，４を複数有するもので、前記半球状凸部４又は５が、半球あるいは半楕円球であり、前記周壁面に有する一方の一対の半球状凸部４，４と他方の一対の半球状凸部４，４との間には、これらの位置に対して周方向に９０°移行した位置に、別の一対の半球状凸部５，５を有し、半球状凸部の表面には、複数の溝を有する。【選択図】  図１
2012161550.tif 000002
【特許請求の範囲】
【請求項１】
左右一対のプラスチック製箸が連結部で連結されたプラスチック製割箸であって、該割箸の先端部の壁面の周方向に複数の半球状凸部を有し、かつ複数の半球状凸部は、前記先端部の壁面の長さ方向に複数有することを特徴とするプラスチック製割箸。
【請求項２】
前記半球状凸部が、周方向に背中合わせに一対有することを特徴とする請求項１に記載のプラスチック製割箸。
【請求項３】
前記半球状凸部が、半球あるいは半楕円球であることを特徴とする請求項１又は請求項２に記載のプラスチック製割箸。
【請求項４】
前記周壁面に有する半球状凸部は、該壁面の長さ方向に対して螺旋状の線に沿って設けられていることを特徴とする請求項１乃至請求項３のいずれかに記載のプラスチック製割箸。
【請求項５】
前記箸の周壁面の周方向に３個又は４個の半球状凸部が等間隔に配置されていることを特徴とする請求項１乃至請求項４のいずれかに記載のプラスチック製割箸。
【請求項６】
前記半球状凸部の表面には、箸の長さ方向に沿った溝又は箸の長さ方向と直角方向に溝を有することを特徴とする請求項１乃至請求項５のいずれかに記載のプラスチック製割箸。
【発明の詳細な説明】
【技術分野】
【０００１】
本発明はプラスチック製割箸に関し、更に詳しくは割箸を切り離したとき、不規則な凹凸の鋭く尖った突起がなく滑らかな頭部が得られ、かつ先端部が滑らないで、麺類が食べ易いプラスチック製割箸に関するものである。
【背景技術】
【０００２】
従来、飲食店や弁当販売店等においては、木材や竹材等で作られた割箸が用いられてきたが、膨大な量が生産かつ使用される結果、大量の木材や竹材等が伐採され、自然環境が荒廃する地域が年々増加し自然環境保護の重要性が叫ばれるようになってきた。このような中で、木材や竹材等の天然資材で生産される木製等の割箸からプラスチック製割箸が注目されるようになってきた。このプラスチック製割箸には、種々のものが開発されるようになり、その一部が実用化されているが、これらプラスチック製割箸の一例を挙げると、一対の箸の頭部付近を連結して一体となしたものが、ほとんどで、その際、連結部分の構造は、使用時に比較的分割し易い形状からなり、例えば、一対の箸の頭部付近で連結し、該連結部は、半球状体の頂部同士が連結したもの（例えば、特許文献１参照）が知られている。
【０００３】
また図５に示されるように、プラスチック製割箸は、その素材の性質から表面が滑り易いという問題がり、この点を考慮して、箸の先端側の物品装着域に、複数段の環状溝を設けたものも開示されている（例えば、特許文献２参照）。このような中で、本特許出願人は、先に、プラスチック製割箸において、該割箸の連結片の切断部となる中央部形状を、頂部を切欠した半球体の一対を、それらの頂部を突き合わせた形状となしたことにより、割箸を切り離したとき、どのような向きで切り離したとしても、連結片の切断面はなめらかな面となり、従来の如き不規則な凹凸になって鋭く尖った突起ができることがないプラスチック製割箸を考案し、実用新案登録出願をした（例えば、特許文献３参照）。
【先行技術文献】
【特許文献】
【０００４】
【特許文献１】実用新案登録第３１５３８０２号（実用新案登録請求の範囲、図１、図２）
【特許文献２】実用新案登録第３１２４６３０号（実用新案登録請求の範囲、図１、図２）
【特許文献３】実用新案登録第３１６５０６５号（実用新案登録請求の範囲、図１、図２、図６）
【発明の概要】
【発明が解決しようとする課題】
【０００５】
しかしながら、本発明者等が考案した実用新案登録第３１６５０６５号に記載したプラスチック製割箸においても、箸の先端部の表面に複数の環状溝を設けているものの、滑り止めとしては今一つ十分ではなく、麺類の場合等、滑って食べ難いという問題があった。そこで、本発明者等は、本実用新案登録第３１６５０６５号に記載したプラスチック製割箸の使用時に箸の先端部が滑らないようにする点につき、更に種々検討したところ、箸の先端部に半球状凸部を複数も受けることにより、うどんやそば等の麺類を食するとき、つるつる滑らないで快適に食することができることを見出し、この知見に基づいて本発明はなされたものである。
【０００６】
したがって、本発明が解決しようとする課題は、割箸を切り離したとき、不規則な凹凸の鋭く尖った突起がなく滑らかな頭部が得られるばかりでなく、先端部が滑らないで、麺類が食べ易いプラスチック製割箸を提供することにある。
【課題を解決するための手段】
【０００７】
上記の本発明の課題は、以下の各発明によってそれぞれ達成される。
【０００８】
（１）左右一対のプラスチック製箸が連結部で連結されたプラスチック製割箸であって、該割箸の先端部の壁面の周方向に一対の半球状凸部を有し、かつ一対の半球状凸部は、前記先端部の壁面の長さ方向に複数有することを特徴とするプラスチック製割箸。
（２）前記半球状凸部が、周方向に背中合わせに一対有することを特徴とする前記第１項に記載のプラスチック製割箸。
（３）前記半球状凸部が、半球あるいは半楕円球であることを特徴とする請求項１又は請求項２に記載のプラスチック製割箸。
（４）前記周壁面に有する半球状凸部は、該壁面の長さ方向に対して螺旋状の線に沿って設けられていることを特徴とする前記第１項乃至第３項のいずれかに記載のプラスチック製割箸。
（５）前記箸の周壁面の周方向に３個又は４個の半球状凸部が等間隔に配置されていることを特徴とする前記第１項乃至第４項のいずれかに記載のプラスチック製割箸。
（６）前記半球状凸部の表面には、箸の長さ方向に沿った溝又は箸の長さ方向と直角方向に溝を有することを特徴とする前記第１項乃至第５項のいずれかに記載のプラスチック製割箸。
【発明の効果】
【０００９】
前記第１項に係る本発明のプラスチック製割箸は、左右一対のプラスチック製箸が連結部で連結されたプラスチック製割箸であって、該割箸の先端部の壁面の周方向に複数の半球状凸部を有し、かつ複数の半球状凸部は、前記先端部の壁面の長さ方向に複数有することにより、割箸としての効果を奏すると共に先端部が滑らないで、麺類が食べ易いという極めて優れた効果を奏するものである。
【００１０】
前記第２項に係る本発明のプラスチック製割箸は、前記半球状凸部が、周方向に背中合わせに一対有することにより、割箸としての効果を奏すると共に麺が半球状凸部間と一個の半球状凸部とで強固に挟まれるので、いっそう先端部の滑りを防止することができ、麺類が食べ易いという極めて優れた効果を奏するものである。前記第３項に係る本発明のプラスチック製割箸は、請求項１又は請求項２に記載のプラスチック製割箸において、前記半球状凸部が、半球あるいは半楕円球であることにより、口や唇などを傷付けることがないばかりでなく、食するときの違和感がないという優れた効果を奏するものである。
【００１１】
前記第４項に係る本発明のプラスチック製割箸は、前記第１項乃至第３項のいずれかに記載のプラスチック製割箸において、前記周壁面に有する半球状凸部は、該壁面の長さ方向に対して螺旋状の線に沿って設けられていることにより、麺を箸でつかんだとき、箸に設けられた２個の半球状凸部の間の壁面と他方の箸にある半球状凸部とで麺が挟まれるので、安定して麺をつかむことができるという優れた効果を奏するものである。前記第５項に係る本発明のプラスチック製割箸は、前記第１項乃至第４項のいずれかに記載のプラスチック製割箸において、前記箸の周壁面の周方向に３個又は４個の半球状凸部が等間隔に配置されていることにより、箸同士の対面位置が変わっても半球状凸部の位置関係にはあまり変化はないので、麺が挟みづらくなることはないという優れた効果を奏するものである。
【００１２】
前記第６項に係る本発明のプラスチック製割箸は、前記第１項乃至第５項のいずれかに記載のプラスチック製割箸において、前記半球状凸部の表面には、箸の長さ方向に沿った溝又は箸の長さ方向と直角方向に溝を有するにより、麺のすべりがよりいっそう防止され、いっそう食べ易い割箸が得られるという優れた効果を奏するものである。
【図面の簡単な説明】
【００１３】
【図１】本発明のプラスチック製割箸を示す平面図である。Ｂは、Ａの拡大図である。
【図２】本発明のプラスチック製割箸の先端部にある半球状凸部の位置を示す断面図である。図２のａは、２個の半球状凸部が対極にある場合で、図３の断面図である。図２のｂは、３個の半球状凸部が円周上に等間隔で設けられている場合を示す断面図であり、更に図２のｃは、４個の半球状凸部が円周上に等間隔で設けられている場合を示す断面図である。
【図３】本発明のプラスチック製割箸の先端部を示す平面図である。
【図４】図３に示す先端部の半球状凸部の表面に溝を設けた例を示す平面図である。図４のａは、半球状凸部の表面に箸の長さ方向と直角に溝を設けたプラスチック製割箸の先端部を示す平面図である。図４のｂは、半球状凸部の表面に箸の長さ方向と同方向に溝を設けた例を示す平面図である。
【図５】従来のプラスチック製割箸を示す平面図である。
【発明を実施するための形態】
【００１４】
以下に、本発明のプラスチック製割箸について図面で説明するが、本発明は、これらの説明に限定されるものではなく、これらに関連した周知の構成をも含むものである。また本願明細書のきさいにおいて、「壁面の長さ方向に対して螺旋状の線に沿って設けられている」とは、複数の半球状凸部が線の位置で同一円周上に規則的又は不規則的に有していてもよい意味に使用している。したがって、円周上の位置と長さ方向に螺旋状の線上の位置との組合せで半球状凸部の形成位置は無数に存在することになり、このような中で、麺が滑らない半球状凸部の位置の決定は、試験品を作製して適宜選択することができる。
【００１５】
図１は本発明のプラスチック製割箸を示す平面図であり、図１において、本発明のプラスチック製割箸は、左右一対のプラスチック製箸１，２が連結部３で連結されたプラスチック製割箸Ｉであって、この連結部３は、拡大図Ｂから明らかなように、対向した半球体が頂部同士を付き合わせた形状で連結されている。ここで、ｗは−０．０５ｍｍ〜０．３ｍｍであり、好ましくは０．０５ｍｍ〜０．３ｍｍであり、より好ましくは０．０５ｍｍ〜０．２ｍｍであり、更に好ましくは０．１ｍｍ〜０．２ｍｍである。ｗが−０．０５ｍｍより小さいと分割し難い。ここで、−０．０５ｍｍとは、半球状凸部の頂部を切除した状態で対向した二つの半球状凸部を接触させた形状をいう。また０．３ｍｍを超えると強度が弱くなりわずかな力が加わって分離するという欠点があり好ましくない。
【００１６】
一方、本発明のプラスチック製割箸Ｉの先端部は、該割箸Ｉの先端部の周壁面に一対の半球状凸部４，５を複数有するものである。本発明に用いられる半球状凸部４，５の形状は、半球あるいは半楕円球であり、これらの大きさは箸の太さにより適宜の大きさのものが用いられるが、箸の太さに関係なく適宜の大きさであってもよい。半球状凸部４，５の周壁面からの高さ又は厚みは、麺の食べ易さを考慮した場合、あまり高くでもまたあまり低くても好ましくなく、０．５ｍｍから２ｍｍの範囲で適宜決定されるのが好ましい。更に好ましくは、１ｍｍから１．５ｍｍがよい。また箸に設けられる半球状凸部は、大きさが揃っていても不揃いでもよい。また箸の先端部において、上部には小さい半球状凸部を設け、先端へ行くにしたがって大きくなるように配置してもよい。具体的には、これらの半球状凸部４，５は、箸の先端部の周面に規則的又は不規則的に設けられるが、好ましくは規則的に設けるのがよい。
【００１７】
図１では、箸１，２において、共に、同一形状に形成される。即ち、箸１と箸２は、同一形状であるので、箸１で説明すると、箸１には、２個の半球状凸部４，４が一対をなし、互いに反対側（背面）に位置して設けられており、一定間隔で箸１の立て方向にそれぞれ３対設けられている。これに対して、一対の半球状凸部４，４と他の一対の半球状凸部４，４の間に位置し、かつ半球状凸部４に対して９０°移行した位置に一対の半球状凸部５，５を設けた構造を有するものであってもよい。このように半球状凸部４，４と同５，５を配置、即ち螺旋状に配置することにより、２本の箸１，２で例えば、うどんのようなつるつるした食材を力まないで挟んでも、木製割箸のように滑ることなく確実に挟むことができる。
【００１８】
図２は、本発明のプラスチック製割箸の先端部にある半球状凸部の位置を示す断面図である。図３は、箸１の先端部の平面図である。図２のａにおいて、半球状凸部４，４は、箸１の周面で互いに反対側に位置し、更に半球状凸部５，５は、半球状凸部４，４に対して９０°移行した位置に設けられている。図２のｂは、３個の半球状凸部４，４，４又は５，５，５は、箸１の周面に等間隔で設けられている。このうち、半球状凸部４，４，４は、箸１の同周面に位置し、半球状凸部５，５，５は、半球状凸部４，４，４に対して長さ方向にずれた位置に設けられ、かつ周方向にもずれている。即ち、図２のｂに示す断面図において、半球状凸部５は、半球状凸部４，４の中間点に位置している。図２のｃは、箸１の同周面に４個の半球状凸部４が等間隔で設けられており、これらは、箸１の長さ方向に複数個設けられ、かつ一つ置きに同周面に設けられた半球状凸部４は、円周方向にずらして半球状凸部５の如く設けられている。
【００１９】
図４は、図３に記載の箸１の先端部に設けられている半球状凸部４又は５に複数の溝を設けたところを示したもので、図４のａは、箸の先端部の半球状凸部に箸の長さ方向に対して直角方向に２本の溝を設けた平面図である。図４のａにおいて、箸１の先端部の半球状凸部４，５に箸１の長さ方向に対して直角方向に２本の溝６、６が設けられており、これにより麺類の滑りをいっそう防止し、麺類が食べ易いプラスチック製割箸が得られる。図４のｂは、箸１の先端部の半球状凸部４，５に箸１の長さ方向に平行な１本の溝又は２本の溝７が設けられ、麺類が食べ易いプラスチック製割箸が得られる。
【産業上の利用可能性】
【００２０】
自然環境保護が叫ばれ、今後、木製の割箸に変わってプラスチック製割箸の需要が増大するなか、うどん、そばなどの麺類を食するとき、滑らないで快適に使用でき、かつリサイクルが可能なプラスチック製割箸は、低コストで得られるので、今後、産業上大きな貢献が期待されるものである。
【符号の説明】
【００２１】
１、２  プラスチック製箸本体
３  連結部
３ａ  切断部
４、５  半球状凸部
６  横溝
７  縦溝
８  環状溝
【図１】
2012161550.tif 000003
【図２】
2012161550.tif 000004
【図３】
2012161550.tif 000005
【図４】
2012161550.tif 000006
【図５】
2012161550.tif 000007